(57)【要約】    【課題】  比較的簡単な構造で良好な排水処理能力を有する、主としてトイレ排水を対象とした排水処理システムを提供することである。    【解決手段】  多数の小孔が設けられた中間底板（１２ｃ）によって上部空間（１４）と下部空間（１６）に分けられた本体（１２）と、本体の上部空間内に、垂直方向に延びるように配置された１又は複数の処理筒（１８）とを備え、処理筒の上端及び下端が閉鎖され、上端付近に、被処理排水を導入する導入管（２０）が接続されており、処理筒の側壁の略上半分に、多数の小孔（１８ａ）が設けられ、略下半分に、垂直方向に延びた複数のスリット（１８ｂ）が設けられており、処理筒の略下半分及び上部空間に、杉の木を繊維方向に沿って削って長さ１ｃｍ以上にした杉繊維チップ及び好気性微生物が充填されている。【選択図】  図１
2005152704.tif 000002
【特許請求の範囲】
【請求項１】
排水処理システムであって
多数の小孔が設けられた中間底板によって上部空間と下部空間に分けられた本体と、
前記本体の前記上部空間内に、垂直方向に延びるように配置された１又は複数の処理筒とを備え、前記処理筒の上端及び下端が閉鎖され、前記上端付近に、被処理排水を導入する導入管が接続されており、
前記処理筒の側壁の略上半分に、多数の小孔が設けられ、略下半分に、垂直方向に延びた複数のスリットが設けられており、
前記処理筒の略下半分に、杉の木を繊維方向に沿って削って長さ１ｃｍ以上にした杉繊維チップ及び好気性微生物が充填されており、  前記本体の前記上部空間内にも、前記杉繊維チップ及び好気性微生物が充填されていることを特徴とするシステム。
【請求項２】
前記本体の前記上部空間の略上半分の部分が、１又は複数の仕切り板で仕切られていることを特徴とする請求項１に記載のシステム。
【請求項３】
前記処理筒が、長さが１．８ｍ又はそれ以上のパイプ状部材で形成されていることを特徴とする請求項１又は２に記載のシステム。
【請求項４】
前記本体の前記下部空間に、炭素塊が充填されていることを特徴とする請求項１から３までのいずれか１項に記載のシステム。
【発明の詳細な説明】
【技術分野】
【０００１】
本発明は一般に、排水処理システムに関する。より詳細には、本発明は、比較的簡単な構造で良好な排水処理能力を有する、主としてトイレ排水を対象とした排水処理システムに関する。
【背景技術】
【０００２】
糞尿等を含んだトイレ排水を処理する方法として、（１）バーク材を使用した攪拌型トイレ、（２）攪拌羽根により攪拌する回転式乾燥型トイレ、（３）微生物を利用したトイレ、（４）汲み取り式トイレ、（５）水洗式トイレ、（６）簡易水洗式トイレ、（７）簡易浄化式トイレ、（８）曝気槽型トイレ等、種々の方式が知られている。
【発明の開示】
【発明が解決しようとする課題】
【０００３】
しかしながら、上述の（１）〜（３）の方式は、バーク材と汚物を混合攪拌することにより汚物の腸内細菌を利用して分解することを目的としているものの、処理の初期段階では一定の効果が見受けられるが、バーク材の中の微生物が徐々に繁殖機能を失うため、次第に処理効果が減少するという課題を有している。また、上述の（４）〜（７）の方式は、不衛生である、悪臭を放つ、ハエ等の害虫が発生する、水害時に槽から汚物が溢れ出て伝染病の発生源となることもあり得る、等の課題を有している。さらに、上述の（８）の方式は、設置個所が狭い場合には設置が困難である、寒冷地における使用では冬期に凍結する可能性がある、等の課題を有している。このように、従来のトイレ排水の処理方法には、満足すべきものが見当たらないのが実情である。
【０００４】
したがって、本発明は、上述のような従来技術のシステムの課題を克服した排水処理システムを提供することを目的としている。
【課題を解決するための手段】
【０００５】
本願請求項１に記載の排水処理システムは、多数の小孔が設けられた中間底板によって上部空間と下部空間に分けられた本体と、前記本体の前記上部空間内に、垂直方向に延びるように配置された１又は複数の処理筒とを備え、前記処理筒の上端及び下端が閉鎖され、前記上端付近に、被処理排水を導入する導入管が接続されており、前記処理筒の側壁の略上半分に、多数の小孔が設けられ、略下半分に、垂直方向に延びた複数のスリットが設けられており、前記処理筒の略下半分に、杉の木を繊維方向に沿って削って長さ１ｃｍ以上にした杉繊維チップ及び好気性微生物が充填されており、前記本体の前記上部空間内にも、前記杉繊維チップ及び好気性微生物が充填されていることを特徴とするものである。
【０００６】
本願請求項２に記載の排水処理システムは、前記請求項１のシステムにおいて、前記本体の前記上部空間の略上半分の部分が、１又は複数の仕切り板で仕切られていることを特徴とするものである。
【０００７】
本願請求項３に記載の排水処理システムは、前記請求項１又は２のシステムにおいて、前記処理筒が、長さが１．８ｍ又はそれ以上のパイプ状部材で形成されていることを特徴とするものである。
【０００８】
本願請求項４に記載の排水処理システムは、前記請求項１から３までのいずれか１項のシステムにおいて、前記本体の前記下部空間に、炭素塊が充填されていることを特徴とするものである。
【発明の効果】
【０００９】
本発明の排水処理システムは、比較的簡単な構造で良好な排水処理能力を得ることができる。また、本発明の排水処理システムは、微生物の棲息に適した壁孔壁を用いた木繊維チップを使用しているので、きわめて効率的な処理を行うことができる。また、本発明の排水処理システムは、処理に用いる杉繊維チップが安価に入手できるため、システムの維持コストを低く抑えることができる。さらに、本発明の排水処理システムでは、被処理排水を液体分と固形分に分けて処理するので、処理効率を高めることができる。本発明の排水処理システムは、主としてトイレ排水の処理を目的としているが、他の一般排水に適用することもできる。
【発明を実施するための最良の形態】
【００１０】
次に添付図面を参照して、本発明の好ましい実施の形態に係る排水処理システムについて詳細に説明する。図１（ａ）は、本発明の好ましい実施の形態に係る排水処理システムの一部切り取り斜視図である。図１（ａ）において全体として参照符号１０で示される本発明の好ましい実施の形態に係る排水処理システムは、矩形の箱形の本体１２を備えている。本体１２は、４枚の側板１２ａと、１枚の底板１２ｂとを有している。底板１２ｂの上方には、中間底板１２ｃが配置されており、これにより、底板１２ｂと中間底板１２ｃとの間に下部空間１４が形成される。中間底板１２ｃには、図示されるように、多数の小孔が設けられている。本体１２の中間底板１２ｃの上方に位置する上部空間１６は、仕切り板１２ｄによって、ほぼ上半分の部分が仕切られている（図１（ａ）では、３枚の仕切り板１２ｄによって、３つの区画に仕切られている）。
【００１１】
排水処理システム１０は又、本体１２の上部空間１６内に、垂直方向に延びるように配置された処理筒１８を備えている。図１（ａ）に示される例では、処理筒１８は、各区画に２基ずつ、計６基配置されている。各処理筒１８は、円筒形のパイプ状部材で形成され、上端及び下端が閉鎖されており、上端付近には、処理すべき排水を導入する導入管２０が接続されている。また、各処理筒１８の側壁の略上半分には、多数の小孔１８ａが設けられ、略下半分には、垂直方向に延びた複数のスリット１８ｂが設けられている。
【００１２】
各処理筒１８の略下半分（即ち、スリット１８ｂが設けられている部分）には、杉繊維チップ２２と好気性微生物（図示せず）が充填されている。ここで、杉繊維チップ２２は、図３に示されるように、杉の木の繊維間にある壁孔壁を壊さないようにして形成したチップである。換言すると、杉の木を壁孔壁を壊さないように繊維方向に沿って削って、長さ約１ｃｍ以上にしたものが杉繊維チップである。
【００１３】
一方、本体１２の上部空間１６内にも、杉繊維チップ２２と好気性微生物（図示せず）が充填されている。また、本体１２の下部空間１４内には、消臭のため、約１０ｍｍ〜約１５ｍｍ程度の大きさの炭素塊２４が充填されている。
【００１４】
次に、以上のように構成された排水処理システム１０の作動について説明する。まず、導入管２０を介して、排水処理システム１０に、トイレ等からの被処理排水が導入され、各処理筒１８内に入る。各処理筒１８に入った被処理排水は、小孔１８ａが設けられた上半分を通過して、杉繊維チップ２２及び好気性微生物が充填されている下半分に至る。その際、被処理排水のうち尿や水等の液体分の大半は、小孔１８ａを介して、杉繊維チップ２２及び好気性微生物が充填されている本体１２の上部空間１６に流出する。一方、被処理水のうち糞等の固形分及び液体分の残りは、各処理筒１８の下半分の杉繊維チップ２２に滲み込む。
【００１５】
杉繊維チップ２２には、上述のように、壁孔壁が設けられているが、これらの壁孔壁が好気性微生物の棲息個所になり、その中で繁殖するため、被処理排水が通過する際、生物濾過が行われるとともに、杉繊維チップ２２自体により物理的な濾過も行われる。このようにして、各処理筒１８の下半分の杉繊維チップ２２に滲み込んで生物濾過及び物理的な濾過が行われた被処理排水は、スリット１８ｂを介して上部空間１６に流出し、上部空間１６内で生物濾過及び物理的な濾過が行われた、小孔１８ａを介して流出した被処理排水とともに、中間底板１２ｃの小孔を介して本体１２の下部空間１４に至る。そして、下部空間１４内に充填されている炭素塊２４により消臭された後、ポンプ２６によって、処理済み水として排水処理システム１０外に排出される。この際、処理済み水をトイレ（図示せず）に還流すれば、有効に活用することができる。
【００１６】
なお、処理筒１８の長さ（高さ）は、濾過に必要な長さを有するように選定される。本発明者の実験によれば、処理筒１８の長さは、約１．８ｍ以上であるのが好ましい。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
例えば、前記実施の形態では、排水処理システム１０に６基の処理筒１８が設けられているが、処理筒１８の設置基数は、これ以上でもよく、これ以下でもよい。
【図面の簡単な説明】
【００１９】
【図１】図１（ａ）は、本発明の好ましい実施の形態に係る排水処理システムの一部切り取り斜視図であり、図１（ｂ）は、図１（ａ）の排水処理システムに設置される処理筒の一部切り取り斜視図である。
【図２】図２（ａ）は、図１（ａ）の排水処理システムの断面図、図２（ｂ）は、図２（ａ）の線２ｂ−２ｂから見た図、図２（ｃ）は、図２（ａ）の線２ｃ−２ｃから見た図である。
【図３】図１（ａ）の排水処理システムに用いられる杉繊維チップを示した図であって、図３（ａ）は、杉の木の切株を示した図、図３（ｂ）は、図３（ａ）の部分３ｂの拡大図、図３（ｃ）は、杉繊維チップの拡大図である。
【符号の説明】
【００２０】
１０  排水処理システム
１２  本体
１４  下部空間
１６  上部空間
１８  処理筒
２０  導入管
２２  杉繊維チップ
２４  炭素塊
【図１】
2005152704.tif 000003
【図２】
2005152704.tif 000004
【図３】
2005152704.tif 000005